(57)【要約】      （修正有）【課題】簡単で、高さを調整でき、様々機器の支持及び固定に便利で、支持が安定し、しっかりと固定でき、適用性が幅広く、使用効果も良好である移動式実験室内の実験機器支持固定構造を提供する。【解決手段】移動式実験室内の実験機器支持固定構造は、第１昇降支柱３１と第２昇降支柱３２が互いにヒンジ結合されると共に台座３０と支持板３３との間に設けられ、第１昇降支柱の上端及び第２昇降支柱の下端が各々支持板及び台座上にヒンジ結合され、第１昇降支柱の下端及び第２昇降支柱の上端が各々台座及び支持板上に摺動可能に連結され、昇降シリンダー３４が台座上にヒンジ結合され、かつシリンダー軸が第１昇降支柱とヒンジ結合される。【選択図】図１
0003229845.tif 000002
【実用新案登録請求の範囲】
【請求項１】
移動式実験室内の実験機器支持固定構造であって、台座(３０)、第１昇降支柱(３１)、第２昇降支柱(３２)、支持板(３３)、昇降シリンダー(３４)、支持用ボールねじ(５１)、ロックナット(５２)、横板(５３)、縦板(５４)、固定ネジ(５５)及び押え板(５６)を含み、前記台座(３０)と前記支持板(３３)は互いに平行に設けられ、前記第１昇降支柱(３１)と前記第２昇降支柱(３２)が互いにヒンジ結合されると共に前記台座(３０)と前記支持板(３３)との間に設けられ、前記第１昇降支柱(３１)の上端及び前記第２昇降支柱(３２)の下端が各々前記支持板(３３)及び前記台座(３０)上にヒンジ結合され、前記第１昇降支柱(３１)の下端及び前記第２昇降支柱(３２)の上端が各々前記台座(３０)及び前記支持板(３３)上に摺動可能に連結され、前記昇降シリンダー(３４)が前記台座(３０)上にヒンジ結合され、かつ前記昇降シリンダー(３４)のシリンダー軸が前記第１昇降支柱(３１)とヒンジ結合され；複数の前記支持用ボールねじ(５１)は、前記支持板(３３)上に挿設され、前記ロックナット(５２)が前記支持用ボールねじ(５１)上に螺合され、また前記支持用ボールねじ(５１)を前記支持板(３３)に固定し、前記横板(５３)が前記支持用ボールねじ(５１)の頂端に固結され、前記縦板(５４)が前記横板(５３)上に固結され、前記押え板(５６)が前記横板(５３)上に摺動可能に連結され、前記固定ネジ(５５)が前記縦板(５４)上に螺接し、かつ前記固定ネジ（５５）の一端が押え板（５６）上に当接することを特徴とする、移動式実験室内の実験機器支持固定構造。
【請求項２】
前記押え板(５６)は、摺動板部(５６１)とゴム部(５６２)とを含み、前記ゴム部(５６２)が前記摺動板部(５６１)上に固結され、前記摺動板部(５６１)の底端にスライダが設けられ、前記横板(５３)上に摺動溝が設けられ、スライダが摺動溝内に摺動可能に設けられることを特徴とする、請求項１に記載の移動式実験室内の実験機器支持固定構造。
【請求項３】
前記支持用ボールねじ（５１）上に制限段部（５１１）が設けられることを特徴とする、請求項１に記載の移動式実験室内の実験機器支持固定構造。
【請求項４】
前記横板（５３）と前記支持用ボールねじ（５１）との間に補強リブ（５７）が設けられることを特徴とする、請求項１に記載の移動式実験室内の実験機器支持固定構造。
【請求項５】
前記支持板（３３）上に複数の固定孔（３３１）が均一に分布されることを特徴とする、請求項１に記載の移動式実験室内の実験機器支持固定構造。
【考案の詳細な説明】
【技術分野】
【０００１】
本考案は、移動式実験室内の実験機器支持固定構造に関する。
【背景技術】
【０００２】
道路の施工過程において、施工過程中に使用するアスファルト、骨材、アスファルト合材、セメント、コンクリート等の材料に対し巡視検査、品質管理、抜取検査・測定作業を行う必要がある。試料採取時間を節約するため、従来技術において移動式実験室をよく用い、実験室内に各種試料採取及び測定に用いられる実験機器が配置されている。一部の実験機器が使用される時、直接実験室内の保管棚上に置くと高すぎて、操作に不便で、移動式実験室の床に置くと低すぎ、この種の機器について、従来技術において普遍的な手法は移動実験室内に架台を設置し、架台の使用時、支持の安定性が悪く、かつ架台の高さも調整できず、某タイプの機器のみに適用でき、適用性が狭い。よって、従来技術の不足を克服するため、従来技術を改善する必要が確かにあった。
【考案の概要】
【考案が解決しようとする課題】
【０００３】
本考案は、上記従来技術に存在する問題点を解決するため、移動式実験室内の実験機器支持固定構造を提供する。
【課題を解決するための手段】
【０００４】
本考案が用いられる技術的解決策としては、移動式実験室内の実験機器支持固定構造であって、台座、第１昇降支柱、第２昇降支柱、支持板、昇降シリンダー、支持用ボールねじ、ロックナット、横板、縦板、固定ネジ及び押え板を含み、前記台座と支持板は互いに平行に設けられ、第１昇降支柱と第２昇降支柱が互いにヒンジ結合されると共に台座と支持板との間に設けられ、第１昇降支柱の上端及び第２昇降支柱の下端が各々支持板及び台座上にヒンジ結合され、第１昇降支柱の下端及び第２昇降支柱の上端が各々台座及び支持板上に摺動可能に連結され、昇降シリンダーが台座上にヒンジ結合され、かつ昇降シリンダーのシリンダー軸が第１昇降支柱とヒンジ結合され；複数の支持用ボールねじは、支持板上に挿設され、ロックナットが支持用ボールねじ上に螺合され、また支持用ボールねじを支持板に固定し、横板が支持用ボールねじの頂端に固結され、縦板が横板上に固結され、押え板が横板上に摺動可能に連結され、固定ネジが縦板上に螺接し、かつ固定ネジの一端が押え板上に当接する。
【０００５】
さらに、前記押え板は、摺動板部とゴム部とを含み、ゴム部が摺動板部上に固結され、摺動板部の底端にスライダが設けられ、横板上に摺動溝が設けられ、スライダが摺動溝内に摺動可能に設けられる。
【０００６】
さらに、前記支持用ボールねじ上に制限段部が設けられる。
【０００７】
さらに、前記横板と支持用ボールねじとの間に補強リブが設けられる。
【０００８】
さらに、前記支持板上には、複数の固定孔が均一に分布される。
【考案の効果】
【０００９】
本考案の構造は、簡単で、高さを調整でき、様々機器の支持及び固定に便利で、支持が安定し、しっかりと固定でき、適用性が幅広く、使用効果も良好である。
【図面の簡単な説明】
【００１０】
【図１】本考案の構造を示す模式図である。
【図２】本考案内の押え板が固定ネジ上にある際の構造を示す模式図である。
【図３】本考案内の支持板の構造を示す模式図である。
【考案を実施するための形態】
【実施例】
【００１１】
以下に、添付図面を基に本考案を詳細に説明する。
【００１２】
図１乃至図３に示すように、本考案の移動式実験室内の実験機器支持固定構造は、台座３０、第１昇降支柱３１、第２昇降支柱３２、支持板３３、昇降シリンダー３４、支持用ボールねじ５１、ロックナット５２、横板５３、縦板５４、固定ネジ５５及び押え板５６を含み、台座３０と支持板３３は互いに平行に設けられ、第１昇降支柱３１と第２昇降支柱３２が互いにヒンジ結合されると共に台座３０と支持板３３との間に設けられ、第１昇降支柱３１の上端及び第２昇降支柱３２の下端が各々支持板３３及び台座３０上にヒンジ結合され、第１昇降支柱３１の下端及び第２昇降支柱３２の上端が各々台座３０及び支持板３３上に摺動可能に連結され、昇降シリンダー３４が台座３０上にヒンジ結合され、かつ昇降シリンダー３４のシリンダー軸が第１昇降支柱３１とヒンジ結合される。４本の支持用ボールねじ５１は、支持板３３上に挿設され、ロックナット５２が支持用ボールねじ５１上に螺合され、また支持用ボールねじ５１を支持板３３に固定し、横板５３が支持用ボールねじ５１の頂端に固結され、縦板５４が横板５３上に固結され、押え板５６が横板５３上に摺動可能に連結され、固定ネジ５５が縦板５４上に螺接し、かつ固定ネジ５５の一端が縦板５４を挿通すると共に押え板５６上に当接する。
【００１３】
第１昇降支柱３１の下端及び第２昇降支柱３２の上端に各々ローラがヒンジ結合され、支持板３３及び台座３０にスライドレールが設けられ、第１昇降支柱３１の下端及び第２昇降支柱３２の上端は各々ローラを通じてスライドレール内を摺動し、摺動可能に連結することを実現する。
【００１４】
押え板５６は、摺動板部５６１とゴム部５６２とを含み、ゴム部５６２が摺動板部５６１上に固結され、摺動板部５６１の底端にスライダが設けられ、横板５３上に摺動溝が設けられ、スライダが摺動溝内に摺動可能に設けられる。
【００１５】
支持用ボールねじ５１上に制限段部５１１が設けられ、支持用ボールねじ５１は支持板３３上に挿設され、制限段部５１１及びロックナット５２は支持板３３の上下両側に配置され、ロックナット５２を締め付けて支持用ボールねじ５１を支持板３３上に固定される。
【００１６】
横板５３の支持の安定性を保証するため、横板５３と支持用ボールねじ５１との間に補強リブ５７が設けられる。
【００１７】
支持板３３上に複数の固定孔３３１が均一に分布され、固定孔３３１は、支持板３３周囲に沿って軸方向に分布され、支持用ボールねじ５１が固定孔３３１内に挿設される。
【００１８】
実験機材の使用時、直接移動式実験室内の保管棚上に置くと高すぎて、操作に不便で、移動式実験室の床に置くと低すぎるため、このような実験機器に対し、直接本考案の支持固定構造上に置かれ、支持板３３を昇降させることで、実験機器を最適な作業位置に調整する。
【００１９】
支持板３３が上昇した時、昇降シリンダー３４のシリンダー軸を突出させると共に第１昇降支柱３１の下端及び第２昇降支柱３２の上端を台座３０及び支持板３３のスライドレール内に対応して左に向けて摺動させることで、支持板３３の上昇を実現する。
【００２０】
実験機器を支持板３３上に置いた時、機器動作時の振動による移動を防止するため、固定ネジ５５を回すことによって押え板５６を機器の外壁に当接させ、従って機器の位置を固定する。固定ネジ５５の支持板３３における位置は、調整可能（位置の異なる固定孔３３１への挿入を通じる）で、押え板５６の横板５３における位置も調整可能で、従って様々寸法の異なる実験機器を固定でき、適用性が幅広い。
【００２１】
押え板５６内のゴム部５６２は、実験機器が損傷されるのを防止でき、かつゴムパッドにも一定のアイソレーション効果がある。
【００２２】
本考案では好ましい実施例を前述の通り開示したが、これらは決して本考案に限定するものではなく、当該技術を熟知する者なら誰でも、本考案の原理を脱しない範囲内で各種の変動や潤色を加えることができ、従って本考案の保護範囲に網羅することを見なされる。
【図１】
0003229845.tif 000003
【図２】
0003229845.tif 000004
【図３】
0003229845.tif 000005